(57)【要約】【課題】巻径を最小に抑え、不快音の発生解消、開閉時の倒れ防止等を発揮することができる一枚板からなる開口部遮蔽体を提供する。【解決手段】可撓性を有する一枚板８、９の一方の面側の横方向または縦方向に所定間隔を存して凸条Ａ１等を成形し、さらに前記凸条Ａ１等を除く所定間隔内の面部Ａ２等を前記凸条Ａ１等側に円弧状の湾曲形状に成形させることによって前記一枚板８、９に前記凸条Ａ１等が外方を臨むように巻き癖をつけて各巻層Ａ、Ｂ、Ｃ、Ｄに同数の前記凸条Ａ１等が配置された多巻層からなる円筒体に成形し、さらに外側巻層に至る各巻層ごとに段階的に凸条Ａ１等の突出形状、湾曲形状の曲率半径および凸条Ａ１等間の間隔を大きくすることによって、最内側巻層を基準として内側巻層から外側巻層に至る各巻層の凸条Ａ１等が放射状に重合するようにする。【選択図】            図５
2004197538.tif 000002
【特許請求の範囲】
【請求項１】
可撓性を有する一枚板の一方の面側の横方向または縦方向に所定間隔を存して凸条を成形し、同時に前記凸条を除く所定間隔内の面部を前記凸条側に円弧状の湾曲形状に成形させることによって前記一枚板に前記凸条が外方を臨むように巻き癖をつけて各巻層に同数の前記凸条が配置された多巻層からなる円筒体に成形し、さらに外側巻層に至る各巻層ごとに段階的に凸条の突出形状、湾曲形状の曲率半径および凸条間の間隔を大きくすることによって、最内側巻層を基準として内側巻層から外側巻層に至る各巻層の凸条が放射状に重合するようにしたことを特徴とする一枚板からなる開口部遮蔽体。
【発明の詳細な説明】
【０００１】
【発明の属する技術分野】
本発明は、主として建物開口部や間仕切り、物置等の開口部のシャッター（特に横引きシャッター）として、さらにキャビネットの開口部の遮蔽等に利用される開口部遮蔽体に関する。
【０００２】
【従来の技術】
従来、例えば横引きシャッターとして、多数のスラットを連設して横移動させるに、隣接する一方のスラットの内側インターロック係合部と他方のスラットの外側インターロック係合部との間に緩衝体を配設することによってスラットの倒れを規制する発明が創案されている（例えば、特許文献１参照）。また、一枚状の板材で開口部を上下に昇降させるシャッターとして、主材を一枚板とし、適宜間隔を存してスラット骨材を主材に一体的に固定させることによって、スラット主材の撓み防止やインターロック部からの不快な金属音を軽減等する発明が創案されている（例えば、特許文献２参照）
【０００３】
【特許文献１】
特開平３−４０４９０号公報（第３−６頁、図３）
【特許文献１】
特開平５−２４８１５０号公報（第２−３頁、図２）
【０００４】
【発明が解決しようとする課題】
しかしながら、前者発明は、従来から上下昇降するインターロック形式のスラットを採用しているから、スラットの倒れは軽減できても、戸袋に巻き込んだときに巻き径が大きくなり収納ケースも必然的に大きくなるという欠点が解消できない。
【０００５】
後者発明によれば、インターロック形式は採用していないので、この部分から生じる不快音等の軽減効果を奏することができるが、シャッターを巻き上げて巻取りシャフトに巻いたときに、骨材によって巻径が膨らんでしまい、シャッターケースが大きくなるという欠点が依然解消できない。
【０００６】
本発明は、かかる種々課題を一掃するために創案されたものであって、収納性、機能性、生産性等において顕著な作用効果を有する開口部遮蔽体を提供することを目的とする。
【０００７】
【課題を解決するための手段】
すなわち本発明に係る開口部遮蔽体は、可撓性を有する一枚板の一方の面側の横方向または縦方向に所定間隔を存して凸条を成形し、同時に前記凸条を除く所定間隔内の面部を前記凸条側に円弧状の湾曲形状に成形させることによって前記一枚板に前記凸条が外方を臨むように巻き癖をつけて各巻層に同数の前記凸条が配置された多巻層からなる円筒体に成形し、さらに外側巻層に至る各巻層ごとに段階的に凸条の突出形状、湾曲形状の曲率半径および凸条間の間隔を大きくすることによって、最内側巻層を基準として内側巻層から外側巻層に至る各巻層の凸条が放射状に重合するようにしたことを特徴とするものである。
【０００８】
この構成によれば、遮蔽体が一枚板であって、補強兼用の凸条が遮蔽体の巻径にほとんど支障を与えることがないから、巻径を極小に抑えることができる。従って、収納スペースが小さくて済む。また、不快音や横引きシャッターにおけるスラットの倒れ現象の発生を抜本的に解消することができる。
【０００９】
【発明の実施の形態】
以下、本発明の実施の形態を実施例にもとづいて図面を参照して説明する。図１〜図４は、本発明に係る開口部遮蔽体を出窓用横引きシャッターに利用したものであって、図１はシャッターパネル開放状態における正面図、図２はシャッターパネル閉鎖状態における正面図、図３は同上の側面図、図４は拡大横断面図を示す。１は外方に突出した横断面が円弧状の出窓窓枠であって、窓枠１の不図示の上枠および下枠に左右それぞれ２枚の、全部で４枚の横断面が円弧状の引き違い窓サッシ２、３が上枠および下枠の上レール及び下レールを介して嵌装されている。
【００１０】
窓枠１を構成する円弧状の上枠および下枠にはそれぞれの窓外側縁部に沿って断面コ字状の上ガイドレール４および下ガイドレール５が上枠および下枠とそれぞれ一体的、または別体に設けられており、これらのガイドレール４、５の両端には上下方向に延びるシャッターケース６、７が連設され、シャッターケース６、７にシャッターパネル８、９がそれぞれロール状に収納可能となっている。
Ｗは窓枠１の周囲の外壁である。
【００１１】
図５は、シャッターケース６、７に立設した巻胴１０（１０ａ、１０ｂ）に巻装したシャッターパネル８、９の巻き状態の平断面を示す。シャッターパネル８（シャッターパネル９も同様である。）は、矩形の一枚状の板材で構成され、材質は可撓性を有する金属鋼板（スチール、アルミ等）、合成樹脂であって、特に弾力性を有するバネ鋼板が最良である。シャッターパネル８は、平断面視において、巻胴１０に対する捲装状態ではシャッターパネル８全体として各巻層Ａ、Ｂ、Ｃ、Ｄが円筒状の多層からなるよう成形され、さらに段階的に凸状Ａ１、Ｂ１、Ｃ１、Ｄ１（以下「凸条Ａ１等」という。）間の間隔が大きくなるよう縦方向に条設されている。
ここで「間隔が段階的に大きくなるように」とは、最内側巻層Ａを基準として内側巻層Ａから外側巻層Ｄに至る各巻層の凸条Ａ１等が放射状に重合するように予め設定されたピッチ寸法をいう。凸状Ａ１等は外方、すなわち次の外側の巻層側に突成させたものであって、その形状は例えば半円形状、半円弧状、三角状、台形状などである。つまり内側巻層から外側巻層に至る各巻層Ａ、Ｂ、Ｃ、Ｄの凸条Ａ１等が放射状に重合するような形状であればこれら形状に限定されるものではない。
【００１２】
凸状Ａ１等間（凸状Ａ１間同士、Ｂ１間同士等も含む）のＡ２、Ｂ２、Ｃ２、Ｄ２は面部であって、凸状Ａ１等と同じ外方に円弧状に湾曲させることが望ましい。これによってシャッターパネル８に巻き癖がつき、内側の巻層を収縮させる機能を持つから、巻胴１０に対する捲装くずれを軽減することができる。
【００１３】
凸条Ａ１等の大きさ（溝幅および高さ）および面部Ａ２、Ｂ２、Ｃ２、Ｄ２の幅寸法は、出窓の開口部の大きさにも関係するため、一義的に決定されるものではないが、凸状Ａ１等間の間隔を小さくすれば、凸条Ａ１等の大きさ（溝幅および高さ）も小さくすることができる。また凸条Ａ１等の高さが小さいほど最外側巻層Ｄからの突出が小さくなるから、巻きの最大径も小さくすることができ、シャッターケース６（７）をよりコンパクトなものとすることができる。さらに凸条Ａ１等が多くなるほど補強効果も増す。
【００１４】
本実施の形態では、各巻層の凸条Ａ１等の数を４つとしてあるが、もとよりこれに限定されるものではなく、例えば３つ、５以上の数にしてもよい。
【００１５】
次にこの実施の形態におけるシャッターパネル８、９の開閉機構（左右引き分け構造）を、図６に基づいて説明する。一対の巻胴１０ａ、１０ｂはシャッターケース６、７内に固定された不図示の上下のブラケット間に鉛直に立設されるように支持されてシャッターケース６、７内に収納されている。シャッターパネル８（９）の開閉駆動は手動でもよいが、電動駆動する（不図示の電動駆動手段を巻胴に伝達装置を介して連結する）場合には、巻胴１０ａ側に電動駆動機を設けて巻胴１０ａを駆動軸とし、巻胴１０ｂを従動軸とする。
【００１６】
１１、１２はベルトであって、巻胴１０ａ、１０ｂ間にベルト１１、１２（テープなどでもよい。）を懸架するが、ベルト１１の一方端は巻胴１０ａに弾機１３を介在させて固着させ、他方端は巻胴１０ｂを一回りさせてシャッターパネル８の戸先側に縦方向に連設した框枠１４に連結する。同様にベルト１２の一方端は巻胴１０ｂに弾機１５を介在させて固着させるとともに、他方端は巻胴０１ａを一回りさせてシャッターパネル９の戸先側に縦方向に連設した框枠１６に連結する。
【００１７】
なお、図６に例示するようにベルト１１、１２をシャッターパネル８（９）の上方の巻胴１０ａ、１０ｂに設けたが、シャッターパネル８（９）の下方の巻胴１０ａ、１０ｂに設けてもよい。
【００１８】
上記のようにシャッターパネル８（９）は、凸条Ａ１等と面部Ａ２等とで連続させて一体構成させたものであるが、巻胴１０ａに係止させるために、巻胴１０ａ側端部８ａ（９ａ）を鉤形にし、巻胴１０ａに設けたスリットに差し込むようになっている。さらにシャッターパネル８の戸先側には前述した框枠１４が縦方向に連設されている。
シャッターパネル８は上下のガイドレール４、５の案内溝内を案内されて横方向に開閉できるようになっている。この場合、ベルト１１，１２も上下のガイドレール４、５に収納されるようにすれば、外部からその存在が分からないので、意匠的に好都合である。
【００１９】
また、特に図示するまでもなくシャッターパネル８の開閉をより一層円滑なものとするために、ガイドレール４、５の案内溝または面部Ａ２等の上下端部にローラを設けることもできる。
【００２０】
なお、図７は、出窓を片引きによって開閉できる機構であるが、原理的には上記引き分タイプを簡素化したものであるので、詳細説明は省略する。
【００２１】
このような両開き形式のシャッターパネル８、９の開閉機構において電動開閉作動は以下のようになる。シャッターパネル８、９を閉鎖させる場合は、電動駆動手段の駆動によって巻胴１０ａが矢印の方向に回転させる。するとベルト１１も同方向に牽引されシャッターパネル８がガイドレール４、５に案内されて出窓の中央方向に牽引される。同時にベルト１４ｂも矢印方向に牽引されシャッターパネル９がガイドレール４、５に案内されて出窓の中央方向に牽引される。シャッターパネル８、９の框材１４、１６が当接した時点で電動駆動手段の駆動が停止する。
【００２２】
シャッターパネル８、９を開放する場合は、前記とは逆回転を電動駆動手段に指令し、シャッターパネル８、９の框材１４、１６がシャッターケース６、７に到達した時点で電動駆動手段の駆動を停止させる。
【００２３】
【発明の効果】
以上の通り、本発明によれば、巻き癖のついた多巻層からなる一枚板の開口部遮蔽体とすることができるから、可及的に巻径を小さくすることができ、これを収納するケースも小さくすることができる。また、遮蔽体が一枚板であるため、開口部遮蔽体として使用した場合に、不快音を発生することもない。また、本実施の形態の実施例のように、横引きシャッターに利用すれば、従来のインターロック形式のシャッターにおけるスラットの倒れ現象は解消することができる。
【図面の簡単な説明】
【図１】シャッターパネル開放状態における正面図である。
【図２】シャッターパネル閉鎖状態における正面図である。
【図３】シャッターパネル閉鎖状態における側面図である。
【図４】シャッターパネル閉鎖状態における出窓との取り合い拡大横断面図である。
【図５】巻胴に巻装したシャッターパネルの巻き状態の平断面である。
【図６】シャッターパネルの開閉機構を示す斜視図である。
【図７】シャッターパネルの他の開閉機構を示す斜視図である。
【符号の説明】
１  出窓窓枠
４，５  ガイドレール
６、７  シャッターケース
８、９  シャッターパネル
１０  巻胴
１１、１２  ベルト
Ａ、Ｂ、Ｃ、Ｄ  巻層
Ａ１、Ｂ１、Ｃ１、Ｄ１  凸条
Ａ２、Ｂ２、Ｃ２、Ｄ２  面部
【図１】
2004197538.tif 000003
【図２】
2004197538.tif 000004
【図３】
2004197538.tif 000005
【図４】
2004197538.tif 000006
【図５】
2004197538.tif 000007
【図６】
2004197538.tif 000008
【図７】
2004197538.tif 000009